(57)【要約】【課題】大型化し、時として湾曲した形状を有するエアフィルターを挿入していく際のエアフィルターの先端部のつかえを防止し、エアフィルター挿入の操作性の良い空気調和機を提供すること。【解決手段】エアフィルター２の挿入先端部となる横枠部２ｆ上のエアフィルター２の厚さ方向に突起４を備えることにより、エアフィルター２のしなやかさを保持しつつ、挿入先端部の撓りを抑え、エアフィルター２のつかえを防止し、エアフィルター２をエアフィルターガイド溝１ａにスムースに挿入・装着でき、操作性がよくなる。【選択図】図３
2006300361.tif 000002
【特許請求の範囲】
【請求項１】
塵芥の侵入を防止し枠および桟で補強されたエアフィルターと、前記エアフィルターを挿入し保持するエアフィルターガイド溝を有し、前記エアフィルターの挿入先端部となる横枠部上の前記エアフィルターの厚さ方向に突起を備えた空気調和機。
【請求項２】
突起の形状は、挿入先端部側でエアフィルター面に対してほぼ垂直に立ち上がり、前記先端部側から離れるに従って、高さが低くなる概三角形状とした請求項１に記載の空気調和機。
【請求項３】
塵芥の侵入を防止し枠および桟で補強されたエアフィルターと、前記エアフィルターを挿入し保持するエアフィルターガイド溝を有し、前記エアフィルターの挿入先端部となる横枠部の肉厚を厚くした空気調和機。
【請求項４】
厚肉部先端はＲ形状を形成し、前記厚肉部のほぼ中央部を溝状に欠くこととした請求項３に記載の空気調和機。
【請求項５】
エアフィルターの挿入先端部となる横枠部の肉厚を厚くした請求項１に記載の空気調和機。
【発明の詳細な説明】
【技術分野】
【０００１】
本発明は、内部にエアフィルターを有する空気調和機に関するものである。
【背景技術】
【０００２】
従来、この種の空気調和機は、空気吸入口から取り入れた空気を、熱交換器で熱交換し、その空気を空気吹出口から吹出す構成となっているが、その際、取り入れた空気中に含まれる埃等の塵芥がそのまま入って熱交換器に付着すると、熱交換率の低下や、通風妨害の原因となるなど空気調和機の性能低下につながる問題となる。また、特に室内機の場合、塵芥が含まれた空気が吹出すと、その臭いなどでユーザーに不快感を生じさせる。また、埃等の塵芥・ハウスダストはアレルギー反応の一因でもある。そこで、室内機の空気吸入口と熱交換器の間に、埃等塵芥の侵入を防止するためにエアフィルターを設けている（例えば、特許文献１、２参照）。
【０００３】
図５は特許文献１に記載された従来の空気調和機の横断面図を示すものである。図５において、１は前面グリルであり、２がエアフィルター、３が吸入パネルでここが空気吸入口となっている。吸入パネル３は開閉できるようになっており、実線で示す状態が開けた状態、２点鎖線で示す状態が閉めた状態である。
【０００４】
図６は、特許文献２に記載された従来のエアフィルターの概略斜視図である。図６において、エアフィルター２は細い繊維の網で出来ているため、周囲を枠２ｂにて補強されており、また内部も横方向および縦方向に走る桟２ｃ、２ｄで補強されている。枠２ｂにはエアフィルター２を持つためのツマミ２ａが設けられている。
【０００５】
次に操作について、再び図５を用いて説明する。エアフィルター２の装着を行うときには、吸入パネル３を開けた状態で、エアフィルター２のツマミ２ａを持って、まず挿入先端部を前面グリルのエアフィルターガイド溝（図示せず）に挿入し、エアフィルターガイド溝に沿ってスライド挿入させて前面グリル１に取り付ける。そののち、吸入パネル３を閉じれば装着が完了する。
【特許文献１】特開平６−１３７５８７号公報
【特許文献２】特許第３１７５５０１号公報
【発明の開示】
【発明が解決しようとする課題】
【０００６】
しかしながら、前記従来の構成では、エアフィルターはポリプロピレン樹脂等の柔らかい材料で出来ていることが多く、エアフィルターを前面グリルのエアフィルターガイド溝に沿って挿入する際に、撓みによる形状変形によって挿入先端部がエアフィルターガイド溝の内部でつかえてしまうので、エアフィルターのツマミ部分近辺（ツマミが設けられていない場合でもこの近辺）を保持しつつ、手で矯正しながらエアフィルターを挿入しなければならないという課題を有していた。
【０００７】
特に、近年の省エネ化推進や清浄性などの空質向上の観点から、空気調和機の性能低下や吹出し空質低下等につながる埃等の塵芥の空気調和気内部への侵入をできるだけ排除することが望まれるため、エアフィルターは広範囲の熱交換器を覆うために大型化し、また、空気調和気前面の吸入パネルだけでなく、天面からの塵芥の侵入を防止するために図５、図６に示すように湾曲した形状となることもある。また、エアフィルターにしなやかさを与え、ガイド溝への挿入時の容易さを得るために、挿入先端部は薄肉なものとせざるをえないため、挿入先端部はますます撓み易くなり、ガイド溝に沿っての挿入がしにくいも
のとなっていた。
【０００８】
本発明は、前記従来の課題を解決するもので、エアフィルターをガイド溝に沿って挿入する際のつかえを防止し、エアフィルター挿入の操作性の良い空気調和機を提供することを目的とする。
【課題を解決するための手段】
【０００９】
前記従来の課題を解決するために、本発明の空気調和機は、エアフィルターの挿入先端部となる横枠部の肉厚を部分的、もしくは、全面的に厚くすることを特徴としたものである。
【００１０】
これによって、エアフィルターの挿入先端部となる横枠部の撓みを抑え、ガイド溝に沿って挿入する際に、つかえにくくなり、エアフィルターをスムースに挿入取り付けでき、操作性がよくなる。
【発明の効果】
【００１１】
本発明の空気調和機は、エアフィルターをスムースに挿入取り付けでき、操作性がよくなるので、ユーザーの使い勝手を向上させると共に、エアフィルターの取り付けを容易にすることで、ユーザーのメンテナンスに対する手間を軽減ので、フィルター掃除がし易くなり、その結果、空気調和機の効率が下がらないので、省エネ等に寄与することができる。
【００１２】
また、エアフィルターの装着性が向上するので、不完全なエアフィルター装着に起因する誤動作や空気調和機が動かないといったトラブルの発生を抑えることができる。
【発明を実施するための最良の形態】
【００１３】
第１の発明は、塵芥の侵入を防止し枠および桟で補強されたエアフィルターと、エアフィルターを挿入し保持するエアフィルターガイド溝を有し、エアフィルターの挿入先端部となる横枠部上のエアフィルターの厚さ方向に突起を備えたことにより、エアフィルターを挿入していく際のつかえを防止し、スムースで確実な装着が可能となり、操作性がよくなる。
【００１４】
第２の発明は、特に、第１の発明の突起の形状を、挿入先端部側でエアフィルター面に対してほぼ垂直に立ち上がり、先端部側から離れるに従って高さが低くなる概三角形状とすることにより、エアフィルターを挿入していく際のつかえを防止し、スムースで確実な装着が可能となり、操作性がよくなる。
【００１５】
第３の発明は、エアフィルターの挿入先端部となる横枠部全体の肉厚を厚くすることにより、エアフィルターを挿入していく際のつかえを防止し、スムースで確実な装着が可能となり、操作性がよくなる。
【００１６】
第４の発明は、特に、第３の発明の厚肉部先端はＲ形状を形成し、厚肉部のほぼ中央部を溝状に欠くこととすることにより、エアフィルターを挿入していく際のつかえを防止し、スムースで確実な装着が可能となり、操作性がよくなる。
【００１７】
第５の発明は、特に、第１の発明の挿入先端部となる横枠部全体の肉厚を厚くすることにより、エアフィルターを挿入していく際のつかえを防止し、スムースで確実な装着が可能となり、操作性がよくなる。
【００１８】
以下、本発明の実施の形態について、図面を参照しながら説明する。なお、この実施の
形態によって本発明が限定されるものではない。
【００１９】
（実施の形態１）
図１は、本発明の第１の実施の形態における空気調和機の横断面図、図２は、本発明の第１の実施の形態におけるエアフィルターの（ａ）は正面図、（ｂ）は側面図、図３は、本発明の第１の実施の形態におけるエアフィルター挿入先端部の要部拡大断面図を示すものである。
【００２０】
図１において、前面グリル１に設けられたエアフィルターガイド溝１ａの中にエアフィルター２が挿入取り付けされており、エアフィルター２の前面には吸入パネル３が開閉可能に保持されている。実線が開けた状態を示しており、２点鎖線は閉じた状態を示している。前面グリル１に設けられるエアフィルターガイド溝１ａはエアフィルター２の後述する枠２ｂの縦方向部分および縦方向の桟２ｄに相対する位置に配されている。
【００２１】
エアフィルター２の装着は、吸入パネル３を開けた状態で、エアフィルター２のツマミ２ａを持って上端、即ち挿入先端部となる横枠部２ｆを前面グリル１のエアフィルターガイド溝１ａに挿入し、エアフィルター２をガイド溝１ａに沿ってスライド挿入していくことで行う。
【００２２】
図２において、細い繊維でできたエアフィルター２の周囲は枠２ｂで補強され、内部も横方向に走る桟２ｃおよび縦方向に走る桟２ｄで補強されており、枠２ｂ中央下部にはエアフィルター２を持つためのツマミ２ａが設けられていると共に、位置決め用フランジ２ｅが下端に２箇所設けられており、最後まで挿入が完了するとエアフィルター２の下端に設けられた位置決め用フランジ２ｅを前面グリル１に設けられた位置決め用穴に差し込むことでエアフィルター２の装着は完了する。
【００２３】
図３において、エアフィルター２の肉薄に成形された挿入先端部となる横枠部２ｆ上で縦桟２ｄとの交差部にエアフィルター２の厚さ方向に突起４が設けられている。突起４の断面形状は、挿入先端部側でエアフィルター面に対してほぼ垂直に立ち上がり、先端部側から離れるに従って高さが低くなる概三角形状とし、突起４の高さは、予想される挿入先端部となる横枠部２ｆの撓み幅よりも僅かに高く設定する。
【００２４】
以上のような構成により、エアフィルター２の挿入先端部となる横枠部２ｆをエアフィルターガイド溝１ａに挿入、更にエアフィルターガイド溝１ａに沿ってエアフィルター２をスライド挿入する際に、挿入先端部となる横枠部２ｆに薄肉成形による撓みが生じていても、突起４が、エアフィルターガイド溝１ａに点接触することにより、撓みの影響を受けることなく、従来のように手で矯正しながら挿入していく必要はなく操作性が良くなる。
【００２５】
以上のように、本実施の形態においては、挿入先端部のしなやかさを保持しつつ、エアフィルターを挿入していく際の先端部のつかえを防止することが可能になるものである。その結果、ユーザーの使い勝手を向上させると共に、エアフィルターの取り付けを容易にすることで、ユーザーのメンテナンスに対する手間を軽減させることで、フィルター掃除がし易くなり、その結果、空気調和機の効率が下がらないので、省エネ等に寄与することができる。
【００２６】
また、エアフィルターの装着性が向上するので、不完全なエアフィルター装着に起因する誤動作や空気調和機が動かないといったトラブルの発生を抑えることができる。
【００２７】
また、本実施の形態では突起４は２つとしたが、それ以上の複数でもいいし、単数とす
ることもできる。
【００２８】
（実施の形態２）
図１の空気調和機及び、図２のエアフィルターは本実施の形態でもほぼ共通である。
【００２９】
図４は、本発明の第２の実施の形態のエアフィルター挿入先端部の要部拡大断面図である。
【００３０】
図４において、エアフィルター２の肉薄に成形された挿入先端部となる横枠部２ｆの裏面（挿入する際に、吸入パネル３と反対に位置する側）のみを厚肉化している。厚肉部５先端はＲ形状を形成し、厚肉部５のほぼ中央部を溝６状に欠いた形状としている。この形状により、エアフィルターガイド溝１ａに線接触することにより、挿入先端部となる横枠部２ｆのエアフィルター２の撓みを抑制することができる。更に厚肉部５のほぼ中央部を溝６状に欠くことにより、製造時のひけを防止でき、製造精度が高まるので、より挿入先端部の形成を十分なものとできる。
【００３１】
他の部分は実施の形態１と同じであり、エアフィルター２の装着は、吸入パネル３を開けた状態で、エアフィルター２のツマミ２ａを持って挿入先端部となる横枠部２ｆを前面グリル１のエアフィルターガイド溝１ａに挿入していくことで行う。
【００３２】
以上のように、本実施の形態においては、挿入先端部のしなやかさを保持しつつ、エアフィルターを挿入していく際の先端部のつかえを防止することが可能になるものである。その結果、ユーザーの使い勝手を向上させると共に、エアフィルターの取り付けを容易にすることで、ユーザーのメンテナンスに対する手間を軽減させることで、フィルター掃除がし易くなり、その結果、空気調和機の効率が下がらないので、省エネ等に寄与することができる。
【００３３】
また、エアフィルターの装着性が向上するので、不完全なエアフィルター装着に起因する誤動作や空気調和機が動かないといったトラブルの発生を抑えることができる。
【００３４】
なお、本実施の形態において撓みを防止する構成としての、厚肉部は横枠部全体の厚みを厚くした一連の連なる形状であるが、肉厚部分をエアフィルターガイド溝に挿入される近辺のみにする等、複数の肉厚部を有する構成としても良いことは言うまでもない。
【００３５】
更にエアフィルターの肉薄に成形された横枠部の裏面を厚肉化し、手前側にもエアフィルターの厚さ方向に突起を設けることで、より撓みを防ぐ効果が向上する。
【産業上の利用可能性】
【００３６】
以上のように、本発明にかかる空気調和機は、エアフィルターを挿入していく際のつかえを防止することが可能となり操作性が良くなるため、室内に設置され内部にエアフィルターを有する空気調和機のみならず、エアフィルターを有する空気清浄機やファンヒータなどの暖房機器等の用途にも適用できる。
【図面の簡単な説明】
【００３７】
【図１】本発明の実施の形態１における空気調和機の横断面図
【図２】本発明の実施の形態１におけるエアフィルターの（ａ）は正面図（ｂ）は側面図
【図３】本発明の実施の形態１におけるエアフィルター挿入先端部の要部拡大断面図
【図４】本発明の実施の形態２におけるエアフィルター挿入先端部の要部拡大断面図
【図５】従来の空気調和機の横断面図
【図６】従来のエアフィルターの概略斜視図
【符号の説明】
【００３８】
１  前面グリル
１ａ  エアフィルターガイド溝
２  エアフィルター
２ａ  ツマミ
２ｂ  枠
２ｃ  横桟
２ｄ  縦桟
２ｅ  位置決め用フランジ
２ｆ  横枠部
３  吸入パネル
４  突起
５  厚肉部
６  溝
【図１】
2006300361.tif 000003
【図２】
2006300361.tif 000004
【図３】
2006300361.tif 000005
【図４】
2006300361.tif 000006
【図５】
2006300361.tif 000007
【図６】
2006300361.tif 000008